(57)【要約】  撮像装置において、被写体を撮像する撮像部と、前記撮像部を搭載する第１基板と、前記第１基板と電気的に接続された電子部品を搭載する第２基板と、レンズを保持するレンズ鏡筒と、を備え、前記第２基板は、前記第１基板に対して所定の角度を持って配置された構成とする。これにより、第１基板と第２基板とを光軸に水平に配置する構成と比較して、光軸方向の長さを短くした、比較的小型な撮像装置を構成することができる。
2019013068.tif 000002
【特許請求の範囲】
【請求項１】
被写体を撮像する撮像部と、
前記撮像部を搭載する第１基板と、
前記第１基板と電気的に接続された電子部品を搭載する第２基板と、
レンズを保持するレンズ鏡筒と、を備え、
前記第２基板は、前記第１基板に対して所定の角度を持って配置されている、
撮像装置。
【請求項２】
前記第１基板は、光軸に垂直に配置され、
前記第２基板は、光軸に対して４５度以下の角度をもって配置されている、
請求項１に記載の撮像装置。
【請求項３】
前記第１基板及び前記第２基板を囲んで配置された、金属で形成されたシールド板をさらに備える、
請求項１または請求項２に記載の撮像装置。
【請求項４】
前記第２基板は、突起部を有しており、
前記シールド板は、前記突起部に嵌合する嵌合部を有する、
請求項１から請求項３のいずれか１項に記載の撮像装置。
【請求項５】
前記シールド板は、前記第２基板を所定の方向に付勢する第１付勢部を有している、
請求項４に記載の撮像装置。
【請求項６】
前記第１付勢部は、前記シールド板に形成された板ばねである、
請求項４に記載の撮像装置。
【請求項７】
前記シールド板は、前記第２基板を前記所定の方向と直交する方向へ付勢する第２付勢部を有している、
請求項５または請求項６に記載の撮像装置。
【請求項８】
前記第２付勢部は、前記シールド板に形成された板ばねである、
請求項７に記載の撮像装置。
【請求項９】
前記第１付勢部は、前記第２基板の接地電位に電気的に接続されている、
請求項５から請求項８のいずれか１項に記載の撮像装置。
【請求項１０】
前記第１基板は、光軸方向後方に突出し、他の構成と電気的に接続されるコネクタを有しており、
前記第２基板は、光軸方向の平面視において、前記コネクタと重ならないよう配置されている、
請求項１から請求項９のいずれか１項に記載の撮像装置。
【請求項１１】
被写体を撮像する撮像部と、
前記撮像部を搭載する第１基板と、
前記第１基板と電気的に接続された電子部品を搭載する第２基板と、
レンズを保持するレンズ鏡筒と、を備え、
前記第１基板は、光軸方向後方に突出し、他の構成と電気的に接続されるコネクタを有しており、
前記第２基板は、光軸方向の平面視において、前記コネクタと重ならないよう配置されている、
撮像装置。
【請求項１２】
被写体を撮像する撮像部と、
前記撮像部を搭載する第１基板と、
前記第１基板に対して所定の角度を有して配置され、前記第１基板と電気的に接続された電子部品を搭載する第２基板と、
レンズを保持するレンズ鏡筒と、
前記第１基板及び前記第２基板を囲んで配置された、金属で形成されたシールド板と、
前記第１基板、前記第２基板、前記レンズ鏡筒、及び前記シールド板を収容するケースと、を備え、
前記第２基板は突起部を有しており、
前記シールド板は、前記突起部と嵌合する嵌合部を有しており、
前記突起部が前記嵌合部と嵌合した際に前記突起部が前記嵌合部から突出する長さは、前記シールド板と前記ケースとの距離よりも長い、
撮像装置。
【請求項１３】
前記シールド板は、前記第２基板を開口方向から挿入可能であり、前記開口方向の端部には外側に向かって屈曲した屈曲部を有している、
請求項１２に記載の撮像装置。
【請求項１４】
前記ケースは、フロントケースと、前記フロントケースよりも光軸方向後方に配置されたリアケースとを含み、
前記シールド板の開口方向の端部は、光軸方向に垂直な面において前記フロントケースと重なる、
請求項１２または請求項１３に記載の撮像装置。
【請求項１５】
前記突起部は、前記第２基板の縁部に対して鈍角を有して突出している、
請求項１２から請求項１４のいずれか１項に記載の撮像装置。
【請求項１６】
前記突起部は、前記第２基板の縁部に対して９５度以上の角度を有して突出している、
請求項１５に記載の撮像装置。
【発明の詳細な説明】
【技術分野】
【０００１】
本発明の一態様は、撮像装置等に関する。
【背景技術】
【０００２】
従来から、レンズを保持するレンズ鏡筒と、撮像素子が搭載された基板とがケースに収容された撮像装置が広く採用されているが、近年、装置の小型化に対する要求が高くなっている。このような撮像装置では、小型化に伴って光軸に垂直な方向の面積が小さくなったことなどから、撮像素子を搭載する基板上の電子部品の集積率を高めたり、撮像素子と搭載する基板と電子部品を搭載する基板を別の基板にしたりする構成が採用されることがある。例えば、特許文献１には、撮像素子を搭載した面の裏面に回路チップを実装した構成の撮像装置が開示されている。特許文献２には、撮像素子が設けられた第１基板と、電子部品等が実装された第２基板及び第３基板とを備える撮像装置が開示されている。
【先行技術文献】
【特許文献】
【０００３】
【特許文献１】特開２０１１−２５９１０１号公報
【特許文献２】特開２０１１−１６４４６１号公報
【発明の概要】
【発明が解決しようとする課題】
【０００４】
しかしながら、近年普及しつつある車載カメラでは搭載される空間が限定されるため、従来よりもさらに小型化に対する要求が高くなっている。また、車載カメラ以外の撮像装置においても同様に、小型化に対する要求がある。これらの小型化に対する要求に対し、上記特許文献に記載されたような構成では十分に対応できない場合があった。また、小型の撮像装置では、小さな部品の組立が容易ではなく、組立容易な構成が求められている。
【課題を解決するための手段】
【０００５】
本発明は、上記の課題などを解決するために次のような手段を採る。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。【０００６】
本発明の一の手段は、
被写体を撮像する撮像部（５１１）と、
前記撮像部を搭載する第１基板（５１）と、
前記第１基板と電気的に接続された電子部品を搭載する第２基板（５２）と、
レンズを保持するレンズ鏡筒（１）と、を備え、
前記第２基板（５２）は、前記第１基板（５１）に対して所定の角度を持って配置されている、
撮像装置である。【０００７】
上記構成の撮像装置では、第１基板に対して第２基板が所定の角度を持って配置されているため、第１基板と第２基板とを平行に配置する従来の構成と比較して、厚さ方向（光軸方向）の長さを短く（小さく）することができる。【０００８】
上記撮像装置において、好ましくは、
前記第１基板（５１）は、光軸に垂直に配置され、
前記第２基板（５２）は、光軸に対して４５度以下の角度をもって配置されている。【０００９】
上記構成の撮像装置によれば、例えば、第１基板と第２基板とが重なる領域をある程度小さくすることができるため、第１基板の光軸方向後方に、第１基板と外部機器とを連結するコネクタなどの構成を配置することができる。すなわち、設計自由度を高めた構成とすることができる。【００１０】
上記撮像装置において、好ましくは、
前記第１基板及び前記第２基板を囲んで配置された、金属で形成されたシールド板（６）をさらに備える。【００１１】
上記構成の撮像装置によれば、シールド板によって第１基板及び第２基板から電磁ノイズ等が外部に放出されることを抑制することなどが可能となる。【００１２】
上記撮像装置において、好ましくは、
前記第２基板（５２）は、突起部（５２１ａ、５２１ｂ）を有しており、
前記シールド板（６）は、前記突起部に嵌合する嵌合部（６１ａ、６１ｂ）を有する。【００１３】
上記構成の撮像装置によれば、突起部と嵌合部とが嵌合することで第２基板とシールド板との位置を固定する構成とすることができる。これにより、従来のように接着剤を用いる構成と比較して、組み立てやすく、組み立てた後のリペアも行いやすい構成とすることができる。【００１４】
上記撮像装置において、好ましくは、
前記シールド板は、前記第２基板を所定の方向に付勢する第１付勢部（６２または６３）を有している。【００１５】
上記構成の撮像装置によれば、第１付勢部によって第２基板が所定方向に付勢されながら固定された構成にすることができ、これによって第２基板を安定的に保持する構成とすることができる。【００１６】
上記撮像装置において、好ましくは、
前記第１付勢部は、前記シールド板に形成された板ばねである。【００１７】
上記構成の撮像装置によれば、比較的簡易な構成で、第２基板を安定的に保持する構成とすることができる。【００１８】
上記撮像装置において、好ましくは、
前記シールド板は、前記第２基板を前記所定の方向と直交する方向へ付勢する第２付勢部（６３または６２）を有している。【００１９】
上記構成の撮像装置によれば、第２基板が２方向に付勢されながら固定された構成にすることができ、これによって第２基板をさらに安定的に保持する構成とすることができる。【００２０】
上記撮像装置において、好ましくは、
前記第２付勢部は、前記シールド板に形成された板ばね（６２、６３）である。【００２１】
上記構成の撮像装置によれば、比較的簡易な構成で、第２基板をさらに安定的に保持する構成とすることができる。【００２２】
上記撮像装置において、好ましくは、
前記第１付勢部（６２または６３）は、前記第２基板の接地電位に電気的に接続されている。【００２３】
上記構成の撮像装置によれば、シールド板による電磁ノイズの遮蔽効果をさらに高めた構成とすることができる。また、第１基板及び第２基板の接地電位を強化し、よりノイズに強い回路構成にすることができる。【００２４】
上記撮像装置において、好ましくは、
前記第１基板は、光軸方向後方に突出し、他の構成と電気的に接続されるコネクタ（５１２）を有しており、
前記第２基板は、光軸方向の平面視において、前記コネクタと重ならないよう配置されている。【００２５】
上記構成の撮像装置によれば、第２基板とコネクタとの位置が互いに干渉しない位置となり、撮像装置の光軸方向の長さ（厚み）をさらに小さくしやすい構成にすることができる。【００２６】
また、本発明の他の手段は、
被写体を撮像する撮像部（５１１）と、
前記撮像部を搭載する第１基板（５１）と、
前記第１基板と電気的に接続された電子部品を搭載する第２基板（５２）と、
レンズを保持するレンズ鏡筒（１）と、を備え、
前記第１基板は、光軸方向後方に突出し、他の構成と電気的に接続されるコネクタ（５１２）を有しており、
前記第２基板は、光軸方向の平面視において、前記コネクタと重ならないよう配置されている、
撮像装置である。【００２７】
上記構成の撮像装置によれば、第２基板とコネクタとの位置が互いに干渉しない位置となり、撮像装置の光軸方向の長さ（厚み）を小さくしやすい構成にすることができる。【００２８】
本発明の他の手段は、
被写体を撮像する撮像部（５１１）と、
前記撮像部を搭載する第１基板（５１）と、
前記第１基板に対して所定の角度を有して配置され、前記第１基板と電気的に接続された電子部品を搭載する第２基板（５２）と、
レンズを保持するレンズ鏡筒（１）と、
前記第１基板及び前記第２基板を囲んで配置された、金属で形成されたシールド板（６）と、
前記第１基板、前記第２基板、前記レンズ鏡筒、及び前記シールド板を収容するケース（３、７）と、を備え、
前記第２基板は突起部（５２１ａ、５２１ｂ）を有しており、
前記シールド板は、前記突起部と嵌合する嵌合部（６１ａ、６１ｂ）を有しており、
前記突起部（５２１ａ、５２１ｂ）が前記嵌合部（６１ａ、６１ｂ）と嵌合した際に前記突起部が前記嵌合部から突出する長さは、前記シールド板と前記ケースとの距離よりも長い、
撮像装置である。【００２９】
上記構成の撮像装置によれば、シールド板が外側に最大限に広がってケースに接触する状態になったとしても、突起部と嵌合部との連結状態が解除されない構成にすることができる。これによって、第２基板がシールド板から脱落してしまうことをより確実に防止することができる。【００３０】
上記撮像装置において、好ましくは、
前記シールド板は、前記第２基板を開口方向から挿入可能であり、前記開口方向の端部には外側に向かって屈曲した屈曲部（６４ａ、６４ｂ）を有している。【００３１】
上記構成の撮像装置によれば、屈曲部を有する構成としたことにより、シールド板の開放方向から第２基板を挿入しやすい構成にすることができ、組立容易な構成とすることができる。また、屈曲部が外側に屈曲しているため、シールド板の一部である屈曲部がケースに近接した構成となり、シールド板の開放方向の端部が必要以上に外側に広がることを抑制することができ、第２基板が脱落してしまうことを抑制することができる。【００３２】
上記撮像装置において、好ましくは、
前記ケースは、フロントケースと、前記フロントケースよりも光軸方向後方に配置されたリアケースとを含み、
前記シールド板の開口方向の端部は、光軸方向に水平な面において前記フロントケースと重なる。【００３３】
上記構成の撮像装置によれば、シールド板の開口方向の端部が外側に広がったときに、当該端部がフロントケースに接しやすい状態となるため、さらに確実に第２基板の脱落を防止することができる。【００３４】
上記撮像装置において、好ましくは、
前記突起部は、前記第２基板の縁部に対して鈍角を有して突出している。【００３５】
上記構成の撮像装置によれば、第２基板に対して、シールド板の内側に向かう応力が発生する構成とすることができるため、シールド板から第２基板が脱落することをより効果的に抑制することができる。【００３６】
上記撮像装置において、好ましくは、
前記突起部は、前記第２基板の縁部に対して９５度以上の角度を有して突出している。【００３７】
上記構成の撮像装置によれば、第２基板とシールド板との間に一定以上の応力が発生しやすい構成とすることができるため、シールド板から第２基板が脱落することをさらに効果的に抑制することができる。より好ましくは、前記突起部が、前記第２基板の縁部に対して１０５度以上の角度を有して突出した構成とする。
【図面の簡単な説明】
【００３８】
【図１】図１は、実施形態１の撮像装置をフロント側から見た外観斜視図である。
【図２】図２は、実施形態１の撮像装置をリア側から見た外観斜視図である。
【図３】図３は、実施形態１の撮像装置をフロント側から見た分解斜視図である。
【図４】図４は、実施形態１の撮像装置をリア側から見た分解斜視図である。
【図５】図５は、フレキシブル基板５３が見える位置での実施形態１の撮像装置の断面図である。
【図６】図６は、板ばね部６３が見える位置での実施形態１の撮像装置の断面図である。
【図７】図７は、実施形態１の撮像装置においてリアケース７、シールド板６、及び第２基板５２を連結させた状態をリア側から見た分解斜視図である。
【図８】図８は、実施形態２の撮像装置をフロント側から見た分解斜視図である。
【図９】図９は、実施形態２の撮像装置をリア側から見た分解斜視図である。
【図１０】図１０は、実施形態２の撮像装置においてリアケース７、シールド板６、及び第２基板５２を連結させた状態をリア側から見た分解斜視図である。
【図１１】図１１は、実施形態２の撮像装置をフロント側から見た平面図である。
【図１２】図１２は、実施形態２の撮像装置において、図１１のＣ−Ｃの位置における断面図である。
【図１３】図１３は、実施形態３の撮像装置において、図１１のＣ−Ｃの位置における断面図である。
【発明を実施するための形態】
【００３９】
本発明の撮像装置は、第１基板に対して第２基板が平行ではなく、所定の角度を持って配置されている点を特徴のひとつとしている。また、本発明の別の特徴は、第１基板及び第２基板を囲んで配置されたシールド板から第２基板が脱落しづらい構成としている点である。
【００４０】
なお、本明細書では、レンズの中心位置であって、撮像素子に入射する光の中心位置を「光軸」と称する。レンズに対して撮像素子とは反対側に位置する撮像対象を「被写体」と称する。撮像素子に対して被写体が位置する方向を「フロント側」または「光軸方向前方」と称し、被写体に対して撮像素子が位置する方向を「リア側」または「光軸方向後方」と称する。
【００４１】
本発明に係る実施形態について、以下の構成に従って説明する。ただし、以下で説明する実施形態はあくまで本発明の一例にすぎず、本発明の技術的範囲を限定的に解釈させるものではない。なお、各図面において、同一の構成要素には同一の符号を付しており、その説明を省略する場合がある。
１．実施形態１
２．実施形態２
３．実施形態３
４．補足事項
【００４２】
＜１．実施形態１＞
本発明の実施形態１について、図１〜図７を参照しながら説明する。図１及び図２は撮像装置の外観図であって、図１はフロント側、図２はリア側から見た図である。図３及び図４は撮像装置の分解斜視図であって、図３はフロント側、図４はリア側から見た図である。図５及び図６は撮像装置の断面図であって、図５はフレキシブル基板５３が見える位置における断面図、図６は板ばね部６３が見える位置での断面図である。図７は、リアケース７、シールド板６、及び第２基板５２を連結させた状態をリア側から見た分解斜視図である。
【００４３】
図示されるように、本実施形態の撮像装置は、レンズ鏡筒１、防水シール２、フロントケース３、防水シール４、第１基板５１、第２基板５２、シールド板６、及びリアケース７を含んで構成される。
【００４４】
＜フロントケース３＞
フロントケース３は、リアケース７と共に撮像装置の筐体（ケース）を形成する部材であって、樹脂または金属などで形成される。フロントケース３は、光軸方向前方に、光軸を中心とする開口部を有し、光軸方向後方はリアケース７と連結可能に開放されており、光軸を覆うように略矩形状の周面を有している。フロントケース３とリアケース７とが連結されることで、レンズ鏡筒１、第１基板５１、第２基板５２、及びシールド板６などを収容する内部空間が形成される。図１に示されるように、フロントケース３の光軸方向前方の開口部には、レンズ鏡筒１により保持されたレンズ１ａが位置する。
【００４５】
＜リアケース７＞
リアケース７は、上記のように、フロントケース３と連結されることで、レンズ鏡筒１、第１基板５１、第２基板５２、及びシールド板６などを収容する空間を形成する。リアケース７は、シールド板６に沿った形状をしており、光軸方向後方に光軸に対して略垂直な面を有し、この面から光軸方向前方に向かって光軸を覆うように突出した略矩形状の周面を有している。また、リアケース７は、この面から光軸方向後方に向かってシールド板６の形状に沿って突出している。リアケース７の光軸方向前方は、フロントケース３の光軸方向後方と略同形状であり、組立状態では、連結ねじ８５及び８６によって連結される。リアケース７とフロントケース３との間には、防止シール４が配置される。リアケース７は、光軸方向後方に、第１基板５１のコネクタ５１２を外部機器と連結するためのコネクタ部７４を有する。
【００４６】
リアケース７は、図７に示されるように、光軸方向後方に延びる基板ガイド部７１及び７２を有する。基板ガイド部７１及び７２の間には、第２基板５２の厚さよりやや厚みを持った溝が形成されている。基板ガイド部７１は、光軸方向前方であって、第２基板５２が挿入される側の角部に切欠を有しており、これによって第２基板５２が、基板ガイド部７１と７２との間に挿入されやすくなっている。組立状態では、この基板ガイド部７１及び７２の間に第２基板５２が配置される。また、リアケース７は、光軸方向後方に延びる突出部７３を有している。組立状態では、突出部７３と、シールド板６の板ばね部６３とによって、第２基板５２が保持される。
【００４７】
＜レンズ鏡筒１＞
レンズ鏡筒１は、レンズ１ａを含む１以上の光学部材を保持し、光軸方向に伸びる円筒状の部材である。レンズ鏡筒１に保持される光学部材には、レンズ１ａの他に、レンズ、スペーサ、口径板、及び光学フィルタなどが含まれる。レンズ１ａを含むレンズは、ガラスまたはプラスチック等の透過性を有する素材で形成され、光軸方向前方からの光を屈折させながら光軸方向後方に透過させる。スペーサは、光軸方向に適度な厚みを有する板状で円環状の部材であり、各レンズの光軸方向の位置を調整する。スペーサは、光軸を含む中心部に開口部を有する。口径板は、通過する光の最外位置を決める。光学フィルタは、所定の波長の光を抑制または遮蔽する。光学フィルタは、例えば、通過する赤外線を抑制する赤外線カットフィルタなどが含まれる。これらの光学部材の数は、任意に変更可能である。
【００４８】
＜防水シール２＞
防水シール２は、ゴムなどの弾性部材により形成された円環状の部材であって、フロントケース３とレンズ鏡筒１との間に配置されることで、フロントケース３とレンズ鏡筒１とを隙間無く連結させるよう作用する。防水シール２は、フロントケース３の開口部の外縁の位置に沿った円環状となっている。
【００４９】
＜防水シール４＞
防水シール４は、ゴムなどの弾性部材により形成された矩形状の部材であって、フロントケース３とリアケース７との間に配置されることで、フロントケース３とリアケース７とを隙間無く連結させるよう作用する。防水シール４は、フロントケース３の光軸方向後方の矩形状の開放部分、及びリアケース７の光軸方向前方の矩形状の開放部分に沿った矩形状に形成される。
【００５０】
なお、フロントケース３の光軸方向後方の開放部分、リアケース７の光軸方向前方の開放部分、及び防水シール４の形状は矩形状に限定されるものではなく、円状であっても良いし多角形状などであっても良い。
【００５１】
＜第１基板５１＞
第１基板５１は、撮像素子５１１が搭載されたリジッド基板である。第１基板５１には、撮像素子５１１以外の電子部品が搭載されても良い。第１基板５１の光軸方向後方の面には、コネクタ５１２が搭載される。第１基板５１の光軸方向前方の面には撮像素子５１１が搭載されているため、撮像時に撮像素子５１１に光が照射されるよう、第１基板５１は光軸に垂直な平面に沿って配置される。図５に示されるように、第１基板５１にはフレキシブル基板５３が接続されており、このフレキシブル基板５３を介して第１基板５１が第２基板５２と電気的に接続される。撮像素子５１１により取得された電気信号は、第１基板５１及び第２基板５２に搭載された電子部品により所定の電気処理または信号処理が施された後、コネクタ５１２からリアケース７のコネクタ部７４を介して、撮像装置の外部に画像データとして出力される。第１基板５１は、連結ねじ８１及び８２によって、フロントケース３と連結されて位置固定される。
【００５２】
撮像素子５１１は、照射された光を電気信号に変換する光電変換素子であり、例えばＣ−ＭＯＳセンサやＣＣＤなどであるが、これらに限定されるものではない。また、撮像装置においては、撮像素子５１１以外の撮像機能を要する撮像部を採用してもよい。撮像素子は、本発明の「撮像部」の一例である。
【００５３】
＜第２基板５２＞
第２基板５２は、電子部品を搭載したリジッド基板である。第２基板５２は、光軸に水平であって、第１基板５１に対して垂直な方向に延びて配置される。第２基板５２がこのように配置されることで、第２基板５２がコネクタ５１２及びコネクタ部７４と干渉しない配置にすることができる。また、第１基板５１と第２基板５２との双方を光軸に垂直に配置する構成と比較して、光軸方向の長さ（厚さ）を短くした構成となっている。
【００５４】
第２基板５２は、光軸に対して外側に向かって外縁部から突出した突起部５２１ａ及び５２１ｂを有している。これらの突起部５２１ａ及び５２１ｂは、組立状態において、それぞれシールド板６に形成された嵌合部６１ａ及び６１ｂに挿入されるよう、嵌合部６１ａ及び６１ｂに対向する位置に形成される。また、第２基板５２は、シールド板６の板ばね部６２から光軸方向前方に向かう付勢力を受け、板ばね部６３から光軸に垂直な方向の付勢力を受ける。第２基板５２の突起部５２１ａ及び５２１ｂは、板ばね部６２から受ける付勢力によって、シールド板６の嵌合部６１ａ及び６１ｂの光軸方向後方の縁部に付勢される。また、第２基板５２は、板ばね部６３から受ける付勢力によって、リアケース７の突出部７３に付勢される。このように第２基板５２は、２方向からの付勢力を受けることで、シールド板６及びリアケース７対して安定的に保持されている。
【００５５】
図７に示されるように、第２基板５２は、リアケース７に形成された基板ガイド部７１及び７２の間に挿入されるよう配置される。
【００５６】
＜フレキシブル基板５３＞
フレキシブル基板（ＦＰＣ）５３は可撓性を有する基板であって、第１基板５１と第２基板５２とを電気的に接続し、互いに信号のやり取りを可能にする。
【００５７】
＜シールド板６＞
シールド板６は、導電性を有する金属などの板状の部材により形成され、組み立てられた状態で、第１基板５１及び第２基板５２を覆うように配置される。より具体的には、シールド板６は、それぞれ光軸方向前方に開放された、第１基板５１を囲む第１箱状部分と、第２基板５２を囲む第２箱状部分とを有する。組み立ての際には、第１基板５１及び第２基板５２は、光軸方向前方の開放部分から挿入されて組み立てられる。
【００５８】
シールド板６は、図３〜図６に示されるように、嵌合部６１ａ、６１ｂ、板ばね部６２、及び板ばね部６３を有する。嵌合部６１ａ及び６１ｂは、第２基板５２の突起部５２１ａ及び５２１ｂに対向する位置に配置された貫通孔である。組立状態では、嵌合部６１ａには突起部５２１ａが挿入され、嵌合部６１ｂには突起部５２１ｂが挿入され、突起部５２１ａ及び５２１ｂが外側に向かって突出する。
【００５９】
板ばね部６２は、シールド板６の光軸方向後方の面に形成され、図５及び図６に示されるように、第２基板５２の光軸方向後方の端部を光軸方向前方に向かって付勢する。一方で、シールド板６の嵌合部６１ａ及び６１ｂには第２基板５２の突起部５２１ａ及び５２１ｂが挿入されているため、突起部５２１ａ及び５２１ｂは光軸方向前方の端部で嵌合部６１ａ及び６１ｂの光軸方向後方の端部に押しつけられることで安定的に保持されている。
【００６０】
板ばね部６３は、シールド板６において第２基板５２を囲む第２箱状部分において、板ばね部６２とは異なる面に形成されており、図６に示すように、板ばね部６２による付勢方向とは垂直な方向に、第２基板５２を付勢する。板ばね部６３は、第２基板５２に形成された接地電位の配線パターンに接触しており、これによってシールド板６の全体が接地電位となっている。
【００６１】
本実施形態の撮像装置では、このように第１基板５１及び第２基板５２を有する構成において、第１基板５１に対して第２基板５２が略垂直に配置されている。このような構成にすることで、第１基板５１と第２基板５２とを互いに水平に配置する構成と比較して、撮像装置の光軸方向の長さ（厚さ）を短くすることが可能となる。特に、コネクタ部７４と第２基板５２とを互いに干渉しないよう配置することで、より効果的に撮像装置の小型化が可能となる。
【００６２】
上記構成において、第１基板５１に対して第２基板５２は必ずしも垂直に配置される必要はなく、所定の角度を有して配置されれば一定の効果が得られる。例えば、コネクタ部７４の長さが第２基板５２の一辺の長さよりも短い構成であれば、第２基板５２を垂直よりもやや斜めに配置することで、撮像装置をより効果的に小型化することが可能となる。
【００６３】
第２基板５２は、第１基板５１に対して４５度以下の角度を持って配置することが特に好ましい。このような構成とすることで、第１基板５１と第２基板５２とが重なる領域をある程度小さくすることができるため、第１基板５１の光軸方向後方に、第１基板５１のコネクタ５１２及びコネクタ部７４などを配置しやすくすることができる。すなわち、設計自由度を高めた構成とすることができる。
【００６４】
また、本実施形態の撮像装置では、第１基板５１及び第２基板５２を囲んで配置されたシールド板６を有する構成としているため、第１基板５１及び第２基板５２から電磁ノイズ等が外部に放出されることを抑制することなどが可能となる。
【００６５】
また、本実施形態の撮像装置では、第２基板５２が突起部５２１ａ及び５２１ｂを有し、シールド板６が嵌合部６１ａ及び６１ｂを有し、これらが互いに嵌合する構成としている。この構成により、第２基板５２とシールド板６との位置を固定する構成とすることができる。これにより、従来のように接着剤を用いる構成と比較して、組み立てやすく、組み立てた後に再度解体して組み立て直すリペア処理も行いやすい構成とすることができる。
【００６６】
また、本実施形態の撮像装置では、シールド板６の板ばね部６２及び６３によって、第２基板５２が所定方向に付勢されながら構成された構成にすることができ、これによって、第２基板５２を安定的に保持する構成とすることができる。なお、板ばね部６２及び６３は、いずれか一方のみであっても、第２基板５２を安定的に保持する一定の効果が得られる。
【００６７】
なお、板ばね部６２及び６３は、シールド板６と一体的に形成された板ばねに代えた他の付勢部材であっても良い。ただし、シールド板６と一体的に形成された上記の板ばね部６２及び６３を有する構成とすることで、比較的簡易な構成で、第２基板５２を安定的に保持する構成とすることができる。
【００６８】
また、本実施形態の撮像装置では、板ばね部６３が第２基板の接地電位に電気的に接続されているため、シールド板６による電磁ノイズの遮蔽効果をさらに高めた構成とすることができる。また、第１基板５１及び第２基板５２の接地電位を強化し、よりノイズに強い回路構成にすることができる。
【００６９】
＜変形例＞
本実施形態の撮像装置では、第１基板５１に対して第２基板５２が垂直に、または角度を有して配置されていることを特徴としていたが、第１基板５１が有するコネクタ５１２に干渉しないよう、第２基板５２を配置しても良い。つまり、第２基板５２は、光軸方向の平面視において、第１基板５１のコネクタ５１２と重ならないよう配置される。この場合、第１基板５１に対して第２基板５２は水平に配置されても良い。
【００７０】
上記構成の撮像装置では、第２基板５２とコネクタ５１２とが互いに干渉しない配置にしているため、撮像装置の光軸方向の長さ（厚み）を小さくしやすい構成にすることができる。
【００７１】
＜２．実施形態２＞
次に、本発明の実施形態２について、図８〜図１２を参照しながら説明する。本実施形態の撮像装置は、実施形態１の撮像装置と比較して、シールド板６の形状が異なっている。以下の説明では、実施形態１と同様の構成についてはその説明を省略し、実施形態１と異なる構成についてのみ説明する。
【００７２】
図８及び図９は撮像装置の分解斜視図であって、図８はフロント側、図９はリア側から見た図である。図１０は、リアケース７、シールド板６、及び第２基板５２を連結させた状態をリア側から見た分解斜視図である。図１１は、撮像装置をフロント側から見た平面図である。図１２は、図１１のＣ−Ｃの位置における撮像装置の断面図である。
【００７３】
図８〜図１０に示されるように、本実施形態のシールド板６は、第２基板５２を囲む第２箱状部分の光軸方向前方の端部が、外側に向かって屈曲した屈曲部６４ａ及び６４ｂを有する。より具体的には、第２基板５２はシールド板６の開放方向である光軸方向前方から挿入可能であり、シールド板６において、第２基板５２の側面と対向する面の端部が、光軸に対して外側に向かって広がるよう屈曲しており、当該屈曲した部分が屈曲部６４ａ及び６４ｂとなっている。
【００７４】
本実施形態の撮像装置では、上記のようにシールド板６が屈曲部６４ａ及び６４ｂを有する構成としていることで、シールド板６の開放方向（例えば光軸方向前方）から第２基板５２を挿入しやすい構成にすることができる。また、屈曲部６４ａ及び６４ｂが外側に屈曲しているため、屈曲部がフロントケース３に近接した構成となり、シールド板６の開放方向の端部が必要以上に外側に広がることを抑制することができ、第２基板５２が脱落してしまうことを抑制することができる。
【００７５】
図１２に示されるように、組立状態において、第２基板５２の突起部５２１ａ及び５２１ｂは、シールド板６の嵌合部６１ａ及び６１ｂに挿入される。このとき、シールド板６の内側（光軸に近い側）の面Ｐ１と、突起部５２１ａの外側（光軸から遠い側）の面Ｐ２との距離（Ｐ１−Ｐ２）は、屈曲部６４ａの外側（光軸から遠い側）の点Ｐ３と、フロントケース３の内側（光軸に近い側）の面Ｐ４との距離（Ｐ３−Ｐ４）よりも長くなるよう構成されている。また、突起部５２１ｂ及び嵌合部６１ｂも同様の構成である。
【００７６】
本実施形態の撮像装置では、上記のような構成にすることで、屈曲部６４ａ及び６４ｂが外側（光軸から遠ざかる方向）に最大限に広がってフロントケース３に接触する状態になったとしても、Ｐ１−Ｐ２よりも短いＰ３−Ｐ４の距離だけしか移動しないため、突起部５２１ａまたは５２１ｂと嵌合部６１ａ及び６１ｂとの連結状態が解除されない構成にすることができる。これによって、第２基板５２がシールド板６から脱落してしまうことを防止する構成にすることができる。
【００７７】
なお、シールド板６は必ずしも屈曲部６４ａ及び６４ｂを有する必要はなく、単にシールド板６の光軸方向前方の端部の外側の点とフロントケース３の内側の面Ｐ４との距離が、シールド板６の内側の点Ｐ１と突起部５２１ａの外側の点Ｐ３よりも短くなるような構成としても良い。このような構成であっても、上記同様、第２基板５２がシールド板６から脱落しづらくなる効果が得られる。
【００７８】
また、シールド板６は、光軸方向前方の端部近傍に、外側に湾曲する湾曲部や、外部に突出する突出部を設けるなど、シールド板６とフロントケース３との距離を短くする構成を備えていても良い。このような構成を採用すると、シールド板６の端部が広がる範囲を狭めることができ、第２基板５２がシールド板６から脱落しづらい構成にすることができる。
【００７９】
また、光軸に対して水平な面において、シールド板６の端部がフロントケース３と重なる構成とすることは必須ではなく、シールド板６の端部がリアケース７と重なる構成としても良い。この場合であっても、上記同様に、シールド板６から第２基板５２が脱落することを抑制した構成にすることができる。
【００８０】
また、本実施形態の撮像装置では、シールド板６の開口方向の端部となる屈曲部６４ａ及び６４ｂの端部が、光軸方向に垂直な面においてフロントケース３と重なる位置になるよう、リア側からフロント側に向かって突出した形状となっている。これによって、屈曲部６４ａ及び６４ｂが外側に広がったときに、端部がフロントケース３に接しやすい状態となるため、確実に第２基板５２の脱落を防止することができる。
【００８１】
＜３．実施形態３＞
次に、本発明の実施形態３について、図１３を参照しながら説明する。本実施形態の撮像装置は、実施形態２の撮像装置と比較して、第２基板５２の突起部５２１ａ及び５２１ｂの形状が異なっている。以下の説明では、実施形態１及び実施形態２と同様の構成についてはその説明を省略し、実施形態１及び実施形態２と異なる特徴部分についてのみ説明する。
【００８２】
図１３は、図１１のＣ−Ｃの位置における撮像装置の断面図である。図１３に示されるように、本実施形態の第２基板５２の突起部５２１ａ及び５２１ｂは、第２基板５２の縁部に対して鈍角を有して突出している。言い換えれば、突起部５２１ａ及び５２１ｂの光軸方向前方の端部であって、嵌合部６１ａ及び６１ｂと接する部分が傾斜を有している。つまり、第２基板５２の縁部と突起部５２１ａ及び５２１ｂによって形成される切欠形状部分が鋭角形状となっている。
【００８３】
第２基板５２の突起部５２１ａ及び５２１ｂを上記のように形成することで、シールド板６の端部近傍は内側（光軸に近づく方向）に向かう応力が発生することとなる。これによって、シールド板６の嵌合部６１ａ及び６１ｂと、第２基板５２の突起部５２１ａ及び５２１ｂとの嵌合が解除され、第２基板５２が脱落することを、効果的に抑制することができる。
【００８４】
なお、第２基板５２の突起部５２１ａ及び５２１ｂは、第２基板５２の縁部に対して９５度以上の角度を有して突出した構成とすることが好ましい。言い換えれば、突起部５２１ａ及び５２１ｂは、光軸に垂直な平面に対して５度以上の角度を有するよう形成することが好ましい。このような構成とすることで、シールド板６と第２基板５２との間に一定以上の応力が発生しやすい構成とすることができるため、シールド板６から第２基板５２が脱落することをさらに効果的に抑制することができる。
【００８５】
より好ましくは、第２基板５２の突起部５２１ａ及び５２１ｂは、第２基板５２の縁部に対して１０５度以上の角度を有して突出した構成とする。この構成によれば、シールド板６と第２基板５２との間に、一定以上の応力がより発生しやすい構成とすることができるため、シールド板６から第２基板５２が脱落することをさらに効果的に抑制することができる。
【００８６】
＜４．補足事項＞
以上、本発明の実施形態についての具体的な説明を行った。上記説明では、あくまで一実施形態としての説明であって、本発明の範囲はこの一実施形態に留まらず、当業者が把握可能な範囲にまで広く解釈されるものである。
【００８７】
例えば、上記各実施形態の板ばね部６２及び６３は、第２基板５２に対して互いに垂直な方向に付勢力を与える構成としていたが、必ずしも互いに垂直な方向に付勢力を与える構成でなくても良く、異なる方向から付勢力を与える構成としても一定の効果が得られる。
【００８８】
また、実施形態では第１基板５１及び第２基板５２の２枚のリジッド基板を有する構成について説明したが、さらに追加のリジッド基板を有する構成を採用してもよい。この場合、追加の基板についても第２基板５２同様に第１基板５１に対して所定の角度（例えば垂直）を有して配置することで、撮像装置をより小型化することができる。なお、追加の基板は第１基板５１に対して水平に配置しても、一定の効果が得られる。
【産業上の利用可能性】
【００８９】
本発明は、車載用の撮像装置などとして好適に利用される。
【符号の説明】
【００９０】
１…レンズ鏡筒
１ａ…レンズ
２…防水シール
３…フロントケース
４…防水シール
５１…第１基板
５１１…撮像素子
５１２…コネクタ
５２…第２基板
５２１ａ、５２１ｂ…突起部
５３…フレキシブル基板
６…シールド板
７…リアケース
６１ａ、６１ｂ…嵌合部
６２、６３…板ばね部
６４ａ、６４ｂ…屈曲部
７１、７２…基板ガイド部
７３…突出部
７４…コネクタ部
８１〜８６…連結ねじ
【図１】
2019013068.tif 000003
【図２】
2019013068.tif 000004
【図３】
2019013068.tif 000005
【図４】
2019013068.tif 000006
【図５】
2019013068.tif 000007
【図６】
2019013068.tif 000008
【図７】
2019013068.tif 000009
【図８】
2019013068.tif 000010
【図９】
2019013068.tif 000011
【図１０】
2019013068.tif 000012
【図１１】
2019013068.tif 000013
【図１２】
2019013068.tif 000014
【図１３】
2019013068.tif 000015
【国際調査報告】
2019013068.tif 000016
2019013068.tif 000017